(57)【要約】【課題】  本考案は、Ｙ字形の本体に逆送防止機能を設け、確実に蜂の巣を取り除き、作業の安全に寄与することにより事故防止を図る。【解決手段】  本考案は、蜂の巣捕獲具本体１，２の一部に確実に蜂の巣を捕獲するための逆送防止具３を設け、７の本体を支持するためのフレームで、作業の危険回避と事故防止に役立つ。【選択図】  図１
0003120214.tif 000002
【実用新案登録請求の範囲】
【請求項１】
棒の先端に本体１を取り付け、蜂の巣の根本へ挿入し、逆送防止具３でロックされた三角形状内に挟まれることを特徴とする蜂の巣捕獲具。
【考案の詳細な説明】
【技術分野】
【０００１】  本考案は、棒の先端にＹ字形状の骨組みに逆走防止具を備えた蜂の巣捕獲具に関するものである。
【背景分野】
【０００２】  アシナガ蜂等は、民家の軒先等に巣を作り、薬剤散布等により蜂を死滅させたうえで、棒で落としていたが、高所の蜂の巣を落とす場合なかなか棒が巣に当たらず軒下等に傷を付けたり、また棒が巣に当たっても簡単には落ちなかった。
【考案の開示】
【考案が解決しようとする課題】
【０００３】  蜂の巣捕獲具は、アシナガ蜂等を薬剤散布等で死滅させた後、巣の根本付近の縊れ部に、蜂の巣捕獲具を奥まで挿入し、逆送防止具の働きで蜂の巣が完全に三角形状内に挟まれた状態になる。本体を静かに退くだけで容易に蜂の巣を取り除くことができる。高所の蜂の巣を落とす場合はなかなか巣に当たらず軒下等に傷を付けたり、また棒が巣に当たっても簡単には落ちなかった欠点を解決しようとするものである。
【考案が解決しようとする手段】
【０００４】  蜂の巣捕獲具の支持フレーム７を振り出し竿等の先端に組み込み、高低差を調整したうえで、蜂の死滅後の蜂の巣を容易に取り除くことができるため、軒下等に傷を付ける等の欠点を解決するものである。
【考案の効果】
【０００５】  蜂の巣は場所等によっては、水平または斜形等の場所に巣を作るため、本体を角度調整し、蜂の巣の縊れにＹ字形状によって本体中央部に誘導され、確実に巣を挟むため、安定した作業が実施され、事故防止が出来る効果がある。
【考案の効果】
【０００６】  Ｙ字形の本体を挿入することで逆送防止具が働きにより、三角形状内に蜂の巣を挟み込むため捕獲作業が短時間で安全に行われる効果が保たれる。
【実施例】
【０００７】  以下、添付図面に従って一実施例を説明する。１、２、３、７は耐久性材質等適宜素材にて化形成された部材からなり、１、２の支柱は６のネジ穴を支点としてＹ字形を形成し、Ｙ字の一部に３を交差させ、４のトーションバネ等で３を開閉自在にし、６の蝶ナットでＹ字形の広口を調整し、７の支持棒は振り出し竿等に組み込み、８の凸が５の蝶ナットにより連結する。
【産業上の利用可能性】
【図面の簡単な説明】
【０００８】
【図１】  本考案の蜂の巣捕獲具の一実施例を示した平面図である。
【図２】  蜂の巣捕獲具を示した側面図である。
【図３】  図１の断面図である。
【図４】  ２の断面図である。
【図５】  ３の逆送防止具の平面図である。
【図６】  本体１を支持するフレームの側面図である。
【符号の説明】
【０００９】      １  蜂の巣捕獲具本体
２  本体に連結する誘導支持具
３  逆送防止用支持具
４  逆送防止用支持具を可動させるバネ
５  本体の角度調整用蝶ナット
６  Ｙ字形の幅角度調整用蝶ナット
７  振り出し竿等の先端部格納する支持棒
８  角度調整用の凸部
【図１】
0003120214.tif 000003
【図２】
0003120214.tif 000004
【図３】
0003120214.tif 000005
【図４】
0003120214.tif 000006
【図５】
0003120214.tif 000007
【図６】
0003120214.tif 000008
【手続補正書】
【提出日】平成17年10月21日(2005.10.21)
【手続補正１】
【補正対象書類名】実用新案登録請求の範囲
【補正対象項目名】全文
【補正方法】変更
【補正の内容】
【実用新案登録請求の範囲】
【請求項１】
蜂の巣捕獲具本体に誘導支持具２を連結させてＹ字形を作り、本体と誘導支持具２の間に、開閉自在の逆送防止用支持具３にバネ４を取付け、バネの反発力が誘導支持具２の溝に静止され、三角形の形状を持っている。本体の角度調整を行うための支持棒７をもうけることを特徴とする蜂の巣捕獲具である。
【手続補正２】
【補正対象書類名】明細書
【補正対象項目名】全文
【補正方法】変更
【補正の内容】
【考案の詳細な説明】
【技術分野】
【０００１】  本考案は、棒の先端にＹ字形状の骨組みに逆走防止具を備えた蜂の巣捕獲具に関するものである。
【背景分野】
【０００２】  アシナガ蜂等は、民家の軒先等に巣を作り、薬剤散布等により蜂を死滅させたうえで、棒で落としていたが、高所の蜂の巣を落とす場合なかなか棒が巣に当たらず軒下等に傷を付けたり、また棒が巣に当たっても簡単には落ちなかった。
【考案の開示】
【考案が解決しようとする課題】
【０００３】  蜂の巣捕獲具は、アシナガ蜂等を薬剤散布等で死滅させた後、巣の根本付近の縊れ部に、蜂の巣捕獲具を奥まで挿入し、逆送防止具の働きで蜂の巣が完全に三角形状内に挟まれた状態になる。本体を静かに退くだけで容易に蜂の巣を取り除くことができる。高所の蜂の巣を落とす場合はなかなか巣に当たらず軒下等に傷を付けたり、また棒が巣に当たっても簡単には落ちなかった欠点を解決しようとするものである。
【考案が解決しようとする手段】
【０００４】  蜂の巣捕獲具の支持棒７を伸縮自在の竿等の先端に組み込み、高低差を調整したうえで、蜂の死滅後の蜂の巣を容易に取り除くことができるため、軒下等に傷を付ける等の欠点を解決するものである。
【考案の効果】
【０００５】  蜂の巣は場所等によっては、水平または斜形等の場所に巣を作るため、本体を角度調整し、蜂の巣の縊れにＹ字形状によって本体中央部に誘導され、確実に巣を挟むため、安定した作業が実施され、事故防止が出来る効果がある。
【考案の効果】
【０００６】  Ｙ字形の本体を挿入することで逆送防止具が働きにより、三角形状内に蜂の巣を挟み込むため捕獲作業が短時間で安全に行われる効果が保たれる。
【実施例】
【０００７】  以下、添付図面に従って一実施例を説明する。１、２、３、７は耐久性材質等適宜素材にて化形成された部材からなり、１、２の支柱は６のネジ穴を支点としてＹ字形を形成し、Ｙ字の一部に９を支点として３を交差させ、４のトーションバネ等で３を開閉自在にし、６の蝶ナットでＹ字形の広口を調整し、７の支持棒は伸縮自在の竿等に組み込み、８の凸が５の蝶ナットにより連結する。
【産業上の利用可能性】
【図面の簡単な説明】
【０００８】
【図１】  本考案の蜂の巣捕獲具の一実施例を示した平面図である。
【図２】  蜂の巣捕獲具を示した側面図である。
【図３】  図１の断面図である。
【図４】  ２の断面図である。
【図５】  ３の逆送防止具の平面図である。
【図６】  本体１を支持するフレームの側面図である。
【符号の説明】
【０００９】  １  蜂の巣捕獲具本体
２  本体に連結する誘導支持具
３  逆送防止用支持具
４  逆送防止用支持具を可動させるバネ
５  本体の角度調整用蝶ナット
６  Ｙ字形の幅角度調整用蝶ナット
７  伸縮自在竿等の先端部格納する支持棒
８  角度調整用の凸部
９  逆送防止用支持具支持軸
【手続補正３】
【補正対象書類名】図面
【補正対象項目名】全図
【補正方法】変更
【補正の内容】
【図１】
0003120214.tif 000009
【図２】
0003120214.tif 000010
【図３】
0003120214.tif 000011
【図４】
0003120214.tif 000012
【図５】
0003120214.tif 000013
【図６】
0003120214.tif 000014
【手続補正書】
【提出日】平成17年12月24日(2005.12.24)
【手続補正１】
【補正対象書類名】実用新案登録請求の範囲
【補正対象項目名】全文
【補正方法】変更
【補正の内容】
【実用新案登録請求の範囲】
【請求項１】
蜂の巣捕獲具本体に、本体に連結する誘導支持具２と逆送防止用支持具３を連結させ伸縮自在竿等の先端部格納する支持棒７を設けたところを特徴とする蜂の巣捕獲具である。